(57)【要約】【課題】効果的にダクトの低騒音化を図ることができるプロジェクターを提供する。【解決手段】プロジェクター１は、冷却対象である光学素子（光変調素子としての液晶パネル２５２等）と、冷却用の空気（外気Ｗ）を送風する送風ファン（吸気ファン７１）と、送風ファンによる空気を流動させると共に、光学素子に対向する排気口（吐出口６１１Ｒ，６１１Ｇ，６１１Ｂ，６１２Ｐ）を有するダクト６１と、ダクト６１の内壁に設けられた柔毛部材３０（３１，３２，３３，３４）と、を備えている。【選択図】図３
2019105782.tif 000002
【特許請求の範囲】
【請求項１】
光源から射出された光を画像情報に基づき変調して投写するプロジェクターであって、
冷却対象である光学素子と、
冷却用の空気を送風する送風ファンと、
前記送風ファンによる空気を流動させると共に、前記光学素子に対向する排気口を有す
るダクトと、
前記ダクトの内壁及び/又は端部に設けられた柔毛部材と、
を備えていることを特徴とするプロジェクター。
【請求項２】
請求項１に記載のプロジェクターであって、
前記ダクトは屈曲部を有し、
前記屈曲部に前記柔毛部材が設けられていることを特徴とするプロジェクター。
【請求項３】
請求項１または請求項２に記載のプロジェクターであって、
前記ダクトは分岐部を有し、
前記分岐部に前記柔毛部材が設けられていることを特徴とするプロジェクター。
【請求項４】
請求項１〜請求項３のいずれか一項に記載のプロジェクターであって、
前記排気口に前記柔毛部材が設けられていることを特徴とするプロジェクター。
【請求項５】
請求項１〜請求項４のいずれか一項に記載のプロジェクターであって、
前記排気口の先端部に前記柔毛部材が設けられていることを特徴とするプロジェクター
。
【請求項６】
請求項１〜請求項５のいずれか一項に記載のプロジェクターであって、
前記冷却対象である前記光学素子は、光変調素子、偏光変換素子、偏光板の少なくとも
１つを含むことを特徴とするプロジェクター。
【請求項７】
請求項１〜請求項６のいずれか一項に記載のプロジェクターであって、
前記柔毛部材は静電植毛により形成されることを特徴とするプロジェクター。
【発明の詳細な説明】
【技術分野】
【０００１】
本発明は、プロジェクターに関するものである。
【背景技術】
【０００２】
従来、プロジェクターを構成する光変調素子や偏光変換素子等の発熱する光学部品を冷
却する場合、ファンにより外気をダクト内に流動させて、発熱する光学部品に向けて外気
を吐出することで冷却している。その際、ダクト内を流動する外気の風切音などがプロジ
ェクターの騒音を大きくする要因となっている。近年、プロジェクターの高輝度化が進み
光学部品等の発熱量が多くなったことに伴い、さらに騒音が大きくなったことで、プロジ
ェクターの低騒音化が強く求められている。
特許文献１では、ダクト内に吸音材を設置することで、騒音を低減することが開示され
ている。
【先行技術文献】
【特許文献】
【０００３】
【特許文献１】特開２００１−６８８８２号公報
【発明の概要】
【発明が解決しようとする課題】
【０００４】
しかし、特許文献１では、ダクト内に吸音材を設置することは記述されているが、吸音
材の詳細や、ダクト内での吸音材の効果的な設置場所等に関しては開示されていない。従
って、効果的にダクトの低騒音化を図ることができるプロジェクターが要望されていた。
【課題を解決するための手段】
【０００５】
本発明は、上述の課題の少なくとも一部を解決するためになされたものであり、以下の
形態または適用例として実現することが可能である。
【０００６】
［適用例１］本適用例に係るプロジェクターは、光源から射出された光を画像情報に基
づき変調して投写するプロジェクターであって、冷却対象である光学素子と、冷却用の空
気を送風する送風ファンと、送風ファンによる空気を流動させると共に、光学素子に対向
する排気口を有するダクトと、ダクトの内壁及び/又は端部に設けられた柔毛部材と、を
備えていることを特徴とする。
【０００７】
本適用例によれば、ダクトの内壁及び/又は端部に設けられた柔毛部材により、ダクト
内を流動する空気に渦流等が発生することを抑制し、風切音を低減することができると共
に、光学素子を冷却することができる。これにより、効果的にダクトの低騒音化を図るこ
とができるプロジェクターを実現することができる。
【０００８】
［適用例２］上記適用例に係るプロジェクターにおいて、ダクトは屈曲部を有し、屈曲
部に柔毛部材が設けられていることが好ましい。
【０００９】
本適用例によれば、ダクトの屈曲部に柔毛部材を設けることにより、屈曲部に発生しや
すい渦流等を抑え、風切音を低減することができることにより、効果的に低騒音化を図る
ことができる。
【００１０】
［適用例３］上記適用例に係るプロジェクターにおいて、ダクトは分岐部を有し、分岐
部に柔毛部材が設けられていることが好ましい。
【００１１】
本適用例によれば、ダクトの分岐部に柔毛部材を設けることにより、分岐部に発生しや
すい渦流等を抑え、風切音を低減することができることにより、効果的に低騒音化を図る
ことができる。
【００１２】
［適用例４］上記適用例に係るプロジェクターにおいて、排気口に柔毛部材が設けられ
ていることが好ましい。
【００１３】
本適用例によれば、ダクトの排気口に柔毛部材を設けることにより、排気口に発生しや
すい渦流等を抑え、風切音を低減することができることにより、効果的に低騒音化を図る
ことができる。
【００１４】
［適用例５］上記適用例に係るプロジェクターにおいて、排気口の先端部に柔毛部材が
設けられていることが好ましい。
【００１５】
本適用例によれば、排気口に柔毛部材を設けることに加えて、先端部にも柔毛部材を設
けることにより、排気口の先端部に発生しやすい渦流等を抑え、風切音を低減することが
できることにより、さらに効果的に低騒音化を図ることができる。
【００１６】
［適用例６］上記適用例に係るプロジェクターにおいて、冷却対象である光学素子は、
光変調素子、偏光変換素子、偏光板の少なくとも１つを含むことが好ましい。
【００１７】
本適用例によれば、ダクトの低騒音化を図ることができる他、発熱量が多くなる光変調
素子、偏光変換素子、偏光板のいずれかを冷却対象として確実に冷却することができる。
【００１８】
［適用例７］上記適用例に係るプロジェクターにおいて、柔毛部材は静電植毛により形
成されることが好ましい。
【００１９】
本適用例によれば、ダクトが管状に延びていても、その内壁に対して、確実で容易に柔
毛部材を形成させることができる。
【図面の簡単な説明】
【００２０】
【図１】実施形態に係るプロジェクターの光学系の概構成を示す模式図。
【図２】光学系に対する冷却用のダクトを示す模式図。
【図３】冷却機構を示す平面図。
【図４】図３におけるＡ−Ａ断面図。
【図５】図３におけるＢ−Ｂ断面図。
【発明を実施するための形態】
【００２１】
以下、本発明の実施の形態について、図面を参照して詳細に説明する。なお、以下の説
明で用いる図面は、特徴をわかりやすくするために、便宜上、特徴となる部分を拡大して
示しており、各構成要素の寸法比率などが実際とは異なっている。
【００２２】
〔実施形態〕
図１は、本実施形態に係るプロジェクター１の光学系の概構成を示す模式図である。
本実施形態のプロジェクター１について説明する。
【００２３】
本実施形態のプロジェクター１は、光源装置２１から射出される光を画像情報に基づき
変調して画像光を形成し、この画像光をスクリーンＳＣ等に拡大投写する装置である。プ
ロジェクター１は、外装を構成する外装筐体５（図２参照）を備えている。また、外装筐
体５内部には、光学ユニット２、冷却機構６（図２参照）、電源部（図示省略）、プロジ
ェクター１の動作を制御する制御部（図示省略）を含む回路ユニット（図示省略）等を備
えている。
【００２４】
光学ユニット２は、光源装置２１、照明光学装置２２、色分離光学装置２３、リレー光
学装置２４、光学装置２５、及び投写光学装置４を含んで構成されている。
光源装置２１は、箱状の筐体２１３に収容されている。光源装置２１は、光源としての
放電型の光源ランプ２１１、及びリフレクター２１２等を備えている。光源装置２１は、
光源ランプ２１１の発光により射出された光をリフレクター２１２によって反射させて射
出方向を揃え、照明光学装置２２に向けて射出する。
【００２５】
照明光学装置２２は、光源装置２１から射出された光に対し、照明光軸Ａに直交する面
内での照度を均一化する。照明光学装置２２は、第１レンズアレイ２２１、第２レンズア
レイ２２２、偏光変換素子２２３、及び重畳レンズ２２４を備えている。また、照明光学
装置２２は、３つのフィールドレンズ２２５を備えている。第１レンズアレイ２２１及び
第２レンズアレイ２２２は、重畳レンズ２２４と共に、光源装置２１から射出された光を
後述する光変調素子（液晶パネル２５２）の表面に略重畳させる。偏光変換素子２２３は
、第２レンズアレイ２２２から射出されたランダム偏光光を液晶パネル２５２で利用可能
な略１種類の偏光光に揃える機能を有する。フィールドレンズ２２５は、光学装置２５の
３つの液晶パネル２５２の手前に配置され、第２レンズアレイ２２２から射出された各部
分光束をその中心軸に対して平行な光束に変換する。
【００２６】
色分離光学装置２３は、照明光学装置２２からの照明光束を赤色（Ｒ）光、緑色（Ｇ）
光、及び青色（Ｂ）光の３つの色光に分離し、対応する３つの液晶パネル２５２に導光す
るものである。色分離光学装置２３は、２枚のダイクロイックミラー２３１，２３２、及
び反射ミラー２３３を備えている。
【００２７】
リレー光学装置２４は、色分離光学装置２３で分離された色光（本実施形態ではＲ光）
に対し、光路の長さが他の色光（Ｇ光、Ｂ光）の光路の長さよりも長くなるため、光の発
散等による光の利用効率の低下を防止し、光変調素子（本実施形態ではＲ光用光変調素子
）まで導くものである。リレー光学装置２４は、入射側レンズ２４１、リレーレンズ２４
３、及び反射ミラー２４２，２４４を備えている。なお、本実施形態の光学ユニット２は
、リレー光学装置２４がＲ光を導く構成としているが、これに限らず、例えば、Ｂ光を導
く構成としてもよい。
【００２８】
光学装置２５は、各光変調素子に入射した各色光を画像情報（信号）に基づいて変調し
て光学像を形成し、形成された色光毎の光学像を、色合成光学装置で合成し、合成された
光学像を画像光として投写光学装置４に射出するものである。光学装置２５は、光変調素
子を構成する３つの液晶パネル２５２、３つの入射側偏光板２５１、３つの射出側偏光板
２５３、及び色合成光学装置としてのクロスダイクロイックプリズム２５５を備えている
。
【００２９】
また、３つの液晶パネル２５２は、Ｒ光用光変調素子としてのＲ光用液晶パネル２５２
Ｒ、Ｇ光用光変調素子としてのＧ光用液晶パネル２５２Ｇ、及びＢ光用光変調素子として
のＢ光用液晶パネル２５２Ｂで構成されている。なお、本実施形態の光変調素子を構成す
る３つの液晶パネル２５２は透過型を採用している。クロスダイクロイックプリズム２５
５は、三角柱状の４つのプリズムを貼り合わせることにより、略正方形断面の角柱状に形
成されている。
【００３０】
また、光学装置２５において、３つの入射側偏光板２５１と、３つの液晶パネル２５２
と、３つの射出側偏光板２５３と、クロスダイクロイックプリズム２５５とは、一体に構
成される。詳細には、クロスダイクロイックプリズム２５５の隣接する３方向の入射面に
、保持部材（図示省略）を介して、対応する３つの射出側偏光板２５３と、３つの液晶パ
ネル２５２と、３つの入射側偏光板２５１とを保持固定して構成されている。入射側偏光
板２５１、液晶パネル２５２、射出側偏光板２５３を固定したクロスダイクロイックプリ
ズム２５５は、図示省略するベース部材を介して光学部品用筐体３とで光学的な位置関係
を保持して固定される。
【００３１】
投写光学装置４は、入射する画像光をズーム調整する機能、及びフォーカス調整する機
能を有し、光学装置２５で形成された画像光をスクリーンＳＣに拡大投写するものである
。
【００３２】
光学部品用筐体３は、内部に所定の照明光軸Ａが設定され、上述した各光学装置２１〜
２４を照明光軸Ａに対する所定位置に収容して、クロスダイクロイックプリズム２５５と
共にベース部材に固定される。
【００３３】
なお、光源装置２１は、放電型の光源ランプ２１１を用いた構成に限られず、半導体レ
ーザーダイオードやＬＥＤ（Light Emitting Diode）を用いることもできる。また、光変
調素子としては、透過型の液晶パネル２５２に限られず、反射型の液晶パネルを利用した
ものや、マイクロミラー型の装置、例えば、ＤＭＤ（Digital Micromirror Device）等を
利用したものを用いることが可能である。
【００３４】
図２は、光学系に対する冷却機構６を示す模式図である。
なお、図２では、光学装置２５と照明光学装置２２とを冷却するための冷却機構６を示
している。そして、図２では、吸気ファン７１周りを断面で示している。図３は、冷却機
構６を示す平面図である。なお、図３では、要部の一部は断面で示し、本発明となる柔毛
部材３０の設置の状態を示している。図４は、図３におけるＡ−Ａ断面図である。図４で
は、ダクト６１の排気口としての吐出口６１１Ｒ，６１１Ｂに柔毛部材３０を設置した図
となる。図５は、図３におけるＢ−Ｂ断面図である。図５では、ダクト６１の排気口とし
ての吐出口６１２Ｐに柔毛部材３０を設置した図となる。
【００３５】
冷却機構６の構成を説明する。
本実施形態の冷却機構６は、光学ユニット２を構成する光学装置２５と照明光学装置２
２とを主に冷却する。具体的には、光学装置２５では、冷却対象としての液晶パネル２５
２、入射側偏光板２５１、射出側偏光板２５３を冷却する。また、照明光学装置２２では
、冷却対象としての偏光変換素子２２３を冷却する。
【００３６】
なお、本実施形態では、冷却機構６のみを説明する。しかし、冷却機構は、その他に、
図示省略する３つの冷却機構を備えている。従って、本実施形態では合計４つの冷却機構
を備えている。
【００３７】
冷却機構６以外の３つの冷却機構の１つは、電源部を冷却する冷却機構である。
３つの冷却機構の２つ目は、光源装置２１を冷却する冷却機構である。なお、この冷却
機構は、冷却機構６と、電源部を冷却する冷却機構との動作により外装筐体５内部に吐出
された温まった空気（内気）を吸気して光源装置２１を冷却する。
【００３８】
また、３つの冷却機構の３つ目は、上述した３つの冷却機構により、熱を奪って吐出さ
れた温まった内気を外装筐体５の外部（プロジェクター１の外部）に排気する冷却機構で
ある。この冷却機構が動作することにより、回路ユニットで発熱するＩＣ（図示省略）等
の熱も奪って冷却する。
以上の４つの冷却機構が動作することにより、プロジェクター１の内部は適切に冷却さ
れる。
【００３９】
冷却機構６は、図２、図３に示すように、ダクト６１、及び送風ファンとしての吸気フ
ァン７１を備えて概ね構成されている。また、ダクト６１は、概ね矩形の筒状に延びる状
態に形成されている。そして、ダクト６１の内壁の要部には、本発明の風切音を低減する
ための柔毛部材３０が設置されている。
【００４０】
なお、柔毛部材３０は、表面加工技術の１つである静電植毛加工を用い、繊維（ナイロ
ン等、例えば長さ１．５ｍｍ程度の短繊維）を対象物に付着させることによって形成され
たものである。静電植毛加工は、詳細には、柔毛部材を設置しようとする対象物の面に接
着剤を塗布した後、対象物に例えば数万ボルトの高電圧をかけ、静電気の力を利用して短
繊維を飛翔させ、均密に対象物の面に付着させる加工方法である。なお、柔毛部材の材質
として、本実施形態でのナイロンの他、ポリエステル等の合成繊維、シルクやコットン等
の天然繊維、また耐熱等の機能性繊維を使用することでもよい。
【００４１】
ダクト６１の吸気側の吸気口６１Ａは、外装筐体５の側面５ａに形成される吸気用開口
部５１に相対して設置される。なお、吸気用開口部５１の内壁側には吸気用開口部５１を
覆うフィルター８１が着脱自在に設置されている。このフィルター８１をダクト６１の吸
気口６１Ａが覆うように、ダクト６１が設置される。なお、フィルター８１は、外気を吸
気する際に、外気に含まれる塵埃を付着することにより、外気を清浄化する除塵機能を有
している。
【００４２】
吸気ファン７１は、冷却用の空気（外気Ｗ）をダクト６１内に送風する。吸気ファン７
１は、ダクト６１の吸気口６１Ａの近傍に設置される。なお、吸気ファン７１は、本実施
形態では、シロッコファンを採用している。シロッコファンは、回転軸方向から吸気した
空気を、回転による遠心力方向に吐出する構造となっている。なお、吸気ファン７１は、
回転軸方向の一方から吸気した空気を回転軸方向の他方に吐出する構造の軸流ファンを採
用することでもよい。
【００４３】
吸気ファン７１の後段側のダクト６１は、途中で第１ダクト６１１と第２ダクト６１２
とに分岐されている。
第１ダクト６１１は、光学装置２５を冷却するためのダクトである。第１ダクト６１１
は、図２、図３に示すように、光学部品用筐体３の下側を経由して、光学装置２５の下側
領域に至り、上方に向けて開口する排気口としての３つの吐出口６１１Ｒ，６１１Ｇ，６
１１Ｂが形成されている。言い換えると、吐出口６１１Ｒ，６１１Ｇ，６１１Ｂは、光学
装置２５に対向している。
【００４４】
なお、吐出口６１１Ｒは、Ｒ光用液晶パネル２５２Ｒ、その前段に位置する入射側偏光
板２５１、及び後段に位置する射出側偏光板２５３の下側に形成される。同様に、吐出口
６１１Ｇは、Ｇ光用液晶パネル２５２Ｇ、その前段に位置する入射側偏光板２５１、及び
後段に位置する射出側偏光板２５３の下側に形成される。同様に、吐出口６１１Ｂは、Ｂ
光用液晶パネル２５２Ｂ、その前段に位置する入射側偏光板２５１、及び後段に位置する
射出側偏光板２５３の下側に形成される。なお、３つの吐出口６１１Ｒ，６１１Ｇ，６１
１Ｂに相対するベース部材（図示省略）には、図示省略する貫通する開口部が形成されて
いる。
【００４５】
第２ダクト６１２は、偏光変換素子２２３を冷却するためのダクトである。第２ダクト
６１２は、図２、図３に示すように、光学部品用筐体３の側面下側を経由して、偏光変換
素子２２３の側面領域に至り、さらに光学部品用筐体３の下側を経由して、偏光変換素子
２２３の下側領域に至り、上方に向けて開口する排気口としての１つの吐出口６１２Ｐが
形成されている。言い換えると、吐出口６１２Ｐは、偏光変換素子２２３に対向している
。吐出口６１２Ｐに相対する光学部品用筐体３の下面には、図示省略する貫通する開口部
が形成されている。
【００４６】
図３〜図５に示すように、第１ダクト６１１の曲折する領域（屈曲部）、及び第２ダク
ト６１２の曲折する領域の内壁に柔毛部材３０が設置されている。なお、以降では、この
曲折する領域の柔毛部材３０を特に柔毛部材３１と言う。図３に示すように、ダクト６１
が第１ダクト６１１と第２ダクト６１２とに分岐する領域（分岐部）の内壁にも、柔毛部
材３０が設置されている。なお、以降では、この分岐する領域の柔毛部材３０を特に柔毛
部材３２と言う。
【００４７】
図４に示すように、排気口としての吐出口６１１Ｒ，６１１Ｇ，６１１Ｂの領域にも、
その各内壁に柔毛部材３０が設置されている。また、図５に示すように、排気口としての
吐出口６１２Ｐの領域にも、その内壁に柔毛部材３０が設置されている。なお、以降では
、この吐出口６１１Ｒ，６１１Ｇ，６１１Ｂ，６１２Ｐの領域の柔毛部材３０を特に柔毛
部材３３と言う。
【００４８】
図３〜図５に示すように、排気口としての吐出口６１１Ｒ，６１１Ｇ，６１１Ｂの先端
部６１１ａと、排気口としての吐出口６１２Ｐの先端部６１２ａにも、柔毛部材３０が設
置されている。なお、以降では、この吐出口６１１Ｒ，６１１Ｇ，６１１Ｂ，６１２Ｐの
先端部６１１ａ、６１２ａの端面領域の柔毛部材３０を特に柔毛部材３４と言う。
【００４９】
冷却機構６の動作に関して説明する。
吸気ファン７１が回転することにより、外装筐体５外部の外気Ｗが、吸気用開口部５１
を介して、吸気口６１Ａからダクト６１内に吸気される。このとき、吸気用開口部５１の
内壁側に設置されるフィルター８１を外気Ｗが通過する。外気Ｗがフィルター８１を通過
することにより、外気Ｗに含まれる塵埃が清浄化される。従って、清浄化された外気Ｗが
ダクト６１内を流動する。
【００５０】
吸気ファン７１を通過した外気Ｗの一方は、分岐して第１ダクト６１１内に流入する。
第１ダクト６１１内を流動した外気Ｗは、３つの吐出口６１１Ｒ，６１１Ｇ，６１１Ｂか
ら上方向に向けて吐出される。吐出口６１１Ｒから吐出された外気Ｗは、上方向に位置す
る光学装置２５のＲ光用液晶パネル２５２Ｒ、入射側偏光板２５１、及び射出側偏光板２
５３に吹き付けて、上方向に吹き抜ける。これにより、外気Ｗは、Ｒ光用液晶パネル２５
２Ｒ、入射側偏光板２５１、及び射出側偏光板２５３で発熱した熱を奪うことで、Ｒ光用
液晶パネル２５２Ｒ、入射側偏光板２５１、及び射出側偏光板２５３を冷却する。他の吐
出口６１１Ｇ，６１１Ｂから吐出する外気Ｗも、吐出口６１１Ｒから吐出する外気Ｗと同
様に動作することにより、第１ダクト６１１を流動する外気Ｗにより、光学装置２５が冷
却される。
【００５１】
ここで、第１ダクト６１１の曲折する各内壁領域には柔毛部材３１が設置されている。
また、ダクト６１が第１ダクト６１１と第２ダクト６１２とに分岐する内壁領域には、柔
毛部材３２が設置されている。このように、柔毛部材３１，３２を、曲折する内壁領域や
分岐する内壁領域に設置することにより、外気Ｗが第１ダクト６１１内を流動する場合、
曲折する領域や分岐する領域で発生しやすくなる渦流等を低減させることができる。
【００５２】
また、第１ダクト６１１の排気口となる３つの吐出口６１１Ｒ，６１１Ｇ，６１１Ｂの
内壁領域には、柔毛部材３３が設置されている。このように、柔毛部材３３を排気口に設
置することにより、外気Ｗが第１ダクト６１１の吐出口６１１Ｒ，６１１Ｇ，６１１Ｂか
ら外部に吐出する際に発生しやすくなる渦流等を低減させることができる。また、本実施
形態では、さらに吐出口６１１Ｒ，６１１Ｇ，６１１Ｂの先端部６１１ａにも柔毛部材３
４を設置したことで、さらに渦流等を低減させている。
【００５３】
吸気ファン７１を通過した外気Ｗの他方は、分岐して第２ダクト６１２内に流入する。
第２ダクト６１２内を流動した外気Ｗは、吐出口６１２Ｐから上方向に向けて吐出される
。吐出口６１２Ｐから吐出された外気Ｗは、上方向に位置する照明光学装置２２の偏光変
換素子２２３に吹き付けて、偏光変換素子２２３の上部に相対する光学部品用筐体３に設
置された開口部（図示省略）から上方向に吹き抜ける。これにより、外気Ｗは、偏光変換
素子２２３で発熱した熱を奪うことで偏光変換素子２２３を冷却する。
【００５４】
ここで、上述したように、第２ダクト６１２の曲折する内壁領域には柔毛部材３１が設
置されている。また、ダクト６１が第１ダクト６１１と第２ダクト６１２とに分岐する内
壁領域には、柔毛部材３２が設置されている。このように、柔毛部材３１，３２を、曲折
する内壁領域や分岐する内壁領域に設置することにより、外気Ｗが第２ダクト６１２内を
流動する場合、曲折する領域や分岐する領域で発生しやすくなる渦流等を低減させること
ができる。
【００５５】
また、第２ダクト６１２の排気口となる１つの吐出口６１２Ｐの内壁領域には、柔毛部
材３３が設置されている。このように柔毛部材３３を排気口に設置することにより、外気
Ｗが第２ダクト６１２の吐出口６１２Ｐから外部に吐出する際に発生しやすくなる渦流等
を低減させることができる。また、本実施形態では、さらに吐出口６１２Ｐの先端部６１
２ａにも柔毛部材３４を設置したことで、さらに渦流等を低減させている。
【００５６】
なお、冷却機構６以外の上述した３つの冷却機構においても、送風ファンやダクトを備
えており、上述したように、ダクトの曲折する内壁領域や分岐する内壁領域や排気口とな
る吐出口の内壁領域や先端部の領域に柔毛部材３０を設置することにより、同様に渦流等
を低減することができる。
【００５７】
上述した実施形態によれば、以下の効果が得られる。
本実施形態のプロジェクター１において、ダクト６１の屈曲部に柔毛部材３１を設ける
ことにより、屈曲部に発生しやすい渦流等を抑え、風切音を低減することができることに
より、効果的にダクト６１の低騒音化を図ることができる。
【００５８】
本実施形態のプロジェクター１において、ダクト６１の分岐部に柔毛部材３２を設ける
ことにより、分岐部に発生しやすい渦流等を抑え、風切音を低減することができることに
より、効果的にダクト６１の低騒音化を図ることができる。
【００５９】
本実施形態のプロジェクター１において、ダクト６１の排気口としての吐出口６１１Ｒ
，６１１Ｇ，６１１Ｂ，６１２Ｐに柔毛部材３３を設けることにより、排気口に発生しや
すい渦流等を抑え、風切音を低減することができることにより、効果的にダクト６１の低
騒音化を図ることができる。
【００６０】
本実施形態のプロジェクター１において、ダクト６１の吐出口６１１Ｒ，６１１Ｇ，６
１１Ｂ，６１２Ｐの先端部６１１ａ，６１２ａに柔毛部材３４を設置していることにより
、さらに渦流等を抑え、風切音を低減することができることにより、さらに効果的にダク
ト６１の低騒音化を図ることができる。
【００６１】
本実施形態のプロジェクター１において、冷却機構６は、ダクト６１の低騒音化を図る
ことができる他、発熱量が多くなる光変調素子（液晶パネル２５２）、偏光変換素子２２
３、偏光板（入射側偏光板２５１、射出側偏光板２５３）を冷却対象として確実に冷却す
ることができる。
【００６２】
本実施形態のプロジェクター１において、柔毛部材３０は静電植毛により形成されるこ
とにより、ダクト６１が管状に延びていても、その内壁に対して、確実で容易に柔毛部材
３０を形成（設置）させることができる。
【００６３】
本実施形態のプロジェクター１によれば、ダクト６１の要部に柔毛部材３０（３１，３
２，３３，３４）を設置したことにより、ダクト６１の低騒音化を図ることができること
で、低騒音化を図ることができるプロジェクターを実現することができる。併せて、光学
素子の冷却を適正に行えるプロジェクターを実現することができる。
【００６４】
なお、上述した実施形態に限定されず、その要旨を逸脱しない範囲において種々の変更
や改良等を加えて実施することが可能である。変形例を以下に述べる。
【００６５】
前記実施形態のプロジェクター１において、柔毛部材３０は要部（曲折部、分岐部、吐
出口）に設置している。しかし、これには限られず、吸気口６１Ａの内壁領域や先端部の
領域、また、吸気ファン７１が設置されるダクト６１の内壁領域などに、柔毛部材３０を
設置することで、風切音の低減を図ると共に、隙間を防止することで、振動等による騒音
を低減させることでもよい。
【００６６】
前記実施形態のプロジェクター１において、柔毛部材３０は要部（曲折部、分岐部、吐
出口）に設置している。しかし、これには限られず、柔毛部材３０をダクト６１の内壁の
全領域に対して設置することでもよい。
【００６７】
前記実施形態のプロジェクター１において、冷却機構６は、光学装置２５と照明光学装
置２２（偏光変換素子２２３）を冷却している。しかし、これには限られず、外装筐体内
部の構成部（光学ユニット、電源部、回路ユニット等）の配置等により、適宜、ダクトが
冷却する光学素子を変えることでもよい。
【００６８】
前記実施形態のプロジェクター１において、冷却機構６は、光学装置２５と照明光学装
置２２（偏光変換素子２２３）を冷却している。しかし、これに限られず、光学装置２５
と照明光学装置２２以外の光学素子を冷却することでもよい。また、発熱する部材に直接
的又は間接的に接続することで、熱を伝導させて放熱を行うフィンに、ダクトの吐出口を
対向させて、フィンに外気Ｗを吹き付けることで、発熱する部材を冷却する構成としても
よい。このようなフィンの例として、第１の波長帯の光により励起されることによって第
１の波長帯とは異なる第２の波長帯の光を生成する波長変換装置（光学素子）を構成する
放熱用のフィン等がある。
【００６９】
前記実施形態のプロジェクター１では、４つの冷却機構で構成されているが、これ以上
の冷却機構や、これ以下の冷却機構で構成されていてもよい。
【符号の説明】
【００７０】
１…プロジェクター、３０…柔毛部材、３１…曲折部に設置された柔毛部材、３２…分
岐部に設置された柔毛部材、３３…吐出口に設置された柔毛部材、３４…吐出口の先端部
に設置された柔毛部材、６１…ダクト、７１…送風ファンとしての吸気ファン、２２３…
偏光変換素子、２５１…偏光板としての入射側偏光板、２５２…光変調素子としての液晶
パネル、２５３…偏光板としての射出側偏光板、６１１Ｒ，６１１Ｇ，６１１Ｂ，６１２
Ｐ…排気口としての吐出口、６１１ａ，６１２ａ…吐出口の先端部、Ｗ…外気（空気）。
【図１】
2019105782.tif 000003
【図２】
2019105782.tif 000004
【図３】
2019105782.tif 000005
【図４】
2019105782.tif 000006
【図５】
2019105782.tif 000007